(57)【特許請求の範囲】
【請求項１】
（Ｘ）携帯型通信装置の電源をＯＮするステップと、
（Ｙ）前記ステップ（Ｘ）と同時に、所定の操作が行われたことを条件として、デモンストレーション機能を開始するステップとを、
備えており、
前記ステップ（Ｙ）は、
（ａ）展示用モードを設定するステップと、
（ｂ）前記展示用モード上で、デモンストレーション機能を開始するステップと、
（ｃ）前記展示用モード中に、通常の使用モードに変更された場合には、前記展示用モード上で、前記通常の使用モードへと移行するステップと、
（ｄ）前記（ｃ）ステップによる前記通常の使用モードでの作業終了後に、前記通常の使用モードが解除され、再度前記（ｂ）ステップを再開するステップとを、備える、
ことを特徴とする携帯型通信装置によるデモンストレーション方法。
【請求項２】
前記（ａ）ステップは、所定の電源ＯＮ操作により展示用モードのフラグを立てるステップであり、
前記（ｃ）ステップは、前記展示用モードのフラグを立てた状態で、前記通常の使用モードへと移行するステップであり、
前記（ｄ）ステップは、前記展示用モードのフラグが立てられているときに、前記（ｂ）ステップを再開するステップである、
ことを特徴とする請求項１に記載の携帯型通信装置によるデモンストレーション方法。
【請求項３】
（ｆ）自動で電源をＯＮまたはＯＦＦ制御する時刻を設定するステップと、
（ｇ）前記自動での電源ＯＦＦ時刻に、前記展示用モードのフラグが立てられているかの判定を行うステップと、
（ｈ）前記（ｇ）ステップで前記展示用モードのフラグが立てられていると判定した場合は、前記展示用モードのフラグを立てた状態で電源のＯＦＦ処理を施すステップと、
（ｉ）前記自動での電源ＯＮ時刻に、前記展示用モードのフラグが立てられているかの判定を行うステップと、
（ｊ）前記（ｉ）ステップで前記展示用モードのフラグが立てられていると判定した場合は、前記展示用モードのフラグを立てた状態で電源のＯＮ処理を施すステップとを、さらに備える、
ことを特徴とする請求項２に記載の携帯型通信装置によるデモンストレーション方法。
【請求項４】
前記（Ｙ）ステップまたは前記（ｂ）ステップは、現在位置の位置情報を取得して、当該位置情報から判定される地方に対応した所定のデモンストレーション機能を開始するステップである、
ことを特徴とする請求項１ないし請求項３のいずれかに記載の携帯型通信装置によるデモンストレーション方法。
【請求項５】
（Ａ）前記携帯型通信装置の電源をＯＦＦすることにより、前記展示用モードのフラグを解除するステップを、さらに備える、
ことを特徴とする請求項２に記載の携帯型通信装置によるデモンストレーション方法。
【請求項６】
請求項１ないし請求項５のいずれかに記載の携帯型通信装置によるデモンストレーション方法を実行可能な、
ことを特徴とするデモンストレーション機能付き携帯型通信装置。
【発明の詳細な説明】
【０００１】
【発明の属する技術分野】
この発明は、携帯型通信装置の展示時の方法に係る発明であって、特に、携帯型通信装置によるデモンストレーション方法に関するものである。
【０００２】
【従来の技術】
従来より、店頭に展示させている電話機等には、通常の電話機としての機能に加えて、商品の宣伝広告等を行うためのデモンストレーション機能を併せ持っているものがある。
【０００３】
例えば、実開平５−０８８０５１号公報に開示されている考案は、通常の据え置きタイプのデモンストレーション機能付き電話機に関するものである。本考案では、電話機本体の側面に設けられたダイヤル種別選択スイッチ部と、ダイヤル速度選択スイッチ部を所定の状態に設定することにより、デモンストレーション機能を開始するか、または、デモンストレーション機能の起動可能状態（待機状態）とすることができる。
【０００４】
また、携帯電話等の携帯型通信装置においても、携帯型通信装置自身の宣伝広告のためのデモンストレーション機能を持っているものもある。この携帯型通信装置では、他の機能と同様に、販売員がメニューから該当する機能を選択することによって、デモンストレーション機能を開始するものである。
【０００５】
【発明が解決しようとする課題】
しかし、実開平５−０８８０５１号公報に開示されているデモンストレーション機能付き電話機では、例えば店頭展示中に、商品の宣伝広告のためにデモンストレーション機能を継続させているとき、顧客等が通常の電話機としての機能を確認するために操作を行うと、このデモンストレーション機能は終了してしまう。従って、再びデモンストレーション機能を開始させるためには、店頭の販売員が再度、ダイヤル種別選択スイッチ部と、ダイヤル速度選択スイッチ部を所定の状態に設定する必要があり、煩わしいという問題が生じていた。
【０００６】
また、従来のデモンストレーション機能付き携帯電話においても、携帯電話の電源投入後、販売員が設定操作を行わないとデモンストレーション機能を開始することができず、開店前に毎日デモンストレーション機能の設定のために、店内を回らなければならなかった。
【０００７】
さらに、上記電話機と同様、デモンストレーション中に、顧客等が携帯電話に対して別操作を施すと、デモンストレーション機能は終了してしまう。このため、上記と同様に、再びデモンストレーション機能を開始させるためには、販売員が再度設定しなおさなければならず、簡単にデモンストレーション機能を再開することはできなかった。
【０００８】
そこで、この発明は、上記のようにデモンストレーション機能を開始・再開するに当たり、販売員がその作業に煩わされることのない携帯型通信装置によるデモンストレーション方法を提供することを目的とする。
【０００９】
【課題を解決するための手段】
上記の目的を達成するために、本発明に係る携帯型通信装置によるデモンストレーション方法は、（Ｘ）携帯型通信装置の電源をＯＮするステップと、（Ｙ）前記ステップ（Ｘ）と同時に、所定の操作が行われたことを条件として、デモンストレーション機能を開始するステップとを備えている。
【００１０】
また、前記ステップ（Ｙ）は、（ａ）展示用モードを設定するステップと、（ｂ）前記展示用モード上で、デモンストレーション機能を開始するステップと、（ｃ）前記展示用モード中に、通常の使用モードに変更された場合には、前記展示用モード上で、前記通常の使用モードへと移行するステップと、（ｄ）前記（ｃ）ステップによる前記通常の使用モードでの作業終了後に、前記通常の使用モードが解除され、再度前記（ｂ）ステップを再開するステップとを備えていてもよい。
【００１１】
また、前記（ａ）ステップは、所定の電源ＯＮ操作により展示用モードのフラグを立てるステップであり、前記（ｃ）ステップは、前記展示用モードのフラグを立てた状態で、前記通常の使用モードへと移行するステップであり、前記（ｄ）ステップは、前記展示用モードのフラグが立てられているときに、前記（ｂ）ステップを再開するステップであってもよい。
【００１２】
また、（ｆ）自動で電源をＯＮまたはＯＦＦ制御する時刻を設定するステップと、（ｇ）前記自動での電源ＯＦＦ時刻に、前記展示用モードのフラグが立てられているかの判定を行うステップと、（ｈ）前記（ｇ）ステップで前記展示用モードのフラグが立てられていると判定した場合は、前記展示用モードのフラグを立てた状態で電源のＯＦＦ処理を施すステップと、（ｉ）前記自動での電源ＯＮ時刻に、前記展示用モードのフラグが立てられているかの判定を行うステップと、（ｊ）前記（ｉ）ステップで前記展示用モードのフラグが立てられていると判定した場合は、前記展示用モードのフラグを立てた状態で電源のＯＮ処理を施すステップとを、さらに備えていてもよい。
【００１３】
また、前記（Ｙ）ステップまたは前記（ｂ）ステップは、現在位置の位置情報を取得して、当該位置情報から判定される地方に対応した所定のデモンストレーション機能を開始するステップであってもよい。
（Ａ）前記携帯型通信装置の電源をＯＦＦすることにより、前記展示用モードのフラグを解除するステップを、さらに備えていても良い。
【００１４】
また、上記の目的を達成するために、本発明に係るデモンストレーション機能付き携帯型通信装置は、請求項１ないし請求項５のいずれかに記載の携帯型通信装置によるデモンストレーション方法を実行可能なものである。
【００１５】
【発明の実施の形態】
以下、この発明をその実施の形態を示す図面に基づいて具体的に説明する。
【００１６】
＜実施の形態１＞
図１は、本実施の形態の携帯型通信装置１００における各処理部を機能ブロックで表した図である。ここで、携帯型通信装置とは、例えば携帯電話、ＰＨＳ（簡易型携帯電話）、ＰＤＡ（携帯情報端末）等の携帯可能な電子機器のことである。
【００１７】
図１において、１は、キー操作等が行われる操作入力部であり、２は、操作入力部１に入力される信号に対応した動作処理を判定する処理判定部であり、３は、各部の動作の制御を行う制御部であり、４は、商品の広告のためのデモンストレーション機能を動作させるデモンストレーション処理部であり、５は、各種動作に対応した内容を表示する表示部（例えば、液晶ディスプレイや発光ダイオード等）であり、６は、各種動作に対応した音を鳴動させる音鳴動部（スピーカ等）であり、７は、デモンストレーション用のデータを格納している記憶部であり、８は、携帯型通信装置１００の通常の動作をさせる通常動作部である。
【００１８】
以下で、本実施の形態における携帯型通信装置１００の動作を、図２のフローチャートに基づいて詳細に説明する。
【００１９】
まず、顧客もしくは販売員等が、本発明である携帯型通信装置１００本体に設けられた操作入力部１を操作することにより、携帯型通信装置１００の電源をＯＮにする操作を施す（ステップＳ１）。本実施の形態では、電源をＯＮにする方法には２通りの手法があり、第一の方法は、携帯型通信装置１００本体に設けられた操作入力部１の電源キーのみを操作する方法であり、第二の方法は、携帯型通信装置１００本体に設けられた操作入力部１の電源キーと他の特定キーを操作する等の予め定められた所定の操作を施す方法である。
【００２０】
すると、操作入力部１から入力される信号を検出し、処理判定部２が、商品のデモンストレーションが実行される展示用モードを、ＯＮにするための所定の操作であるか否かの判定を行う（ステップＳ２）。
【００２１】
ステップＳ１での操作入力部１の操作が、電源キーのみを操作する第一の方法なら、フローチャートのステップＳ２の「Ｎ」であり、通常動作部８が表示部５および音鳴動部６を制御した、携帯型通信装置１００の通常の機能が発揮される（ステップＳ８）。この第一の方法のキー操作は、一般のユーザが通常動作時に行う電源のＯＮ操作に該当する。
【００２２】
一方、ステップＳ１での操作入力部１の操作が、展示用モードに対応した所定のキー（例えば、電源キーと他の特定キー）操作である第二の方法ならば、フローチャートのステップＳ２の「Ｙ」であり、展示用モードのフラグが立てられる（ステップＳ３）。この第二の方法のキー操作は、例えば店頭においてデモンストレーションのために販売員が施す電源のＯＮ操作に該当する。なお、展示用モードのフラグは、処理判定部２の判定結果を制御部３が受け、制御部３がデモンストレーション処理部４に前記判定結果を送信することで、デモンストレーション処理部４により立てられる。
【００２３】
次に、制御部３が展示用モードのフラグが立てられているか否かの判定を行う（ステップＳ４）。ここでは、展示用モードのフラグは立てられていることが明らかであるので、フローチャートのステップＳ５の「Ｙ」であり、次のステップＳ５へと移行する。
【００２４】
この展示用モードにおいて、ステップＳ４の判定の後に、顧客もしくは販売員等により、携帯型通信装置１００の通常の機能（通常の使用モード）に対応した操作入力部１の操作が新たに入力（モード変更）されていないかを、制御部３が操作入力部１、処理判定部２を介して判定する（ステップＳ５）。
【００２５】
ここで、通常の使用モードへの変更が認められず、デモンストレーションの開始が可能な状態であれば、フローチャートのステップＳ５の「Ｙ」であり、デモンストレーション処理部４が、記憶部７に保存されているデータを基に、表示部５および音鳴動部６を使用したデモンストレーションを開始する（ステップＳ６）。
【００２６】
他方、ステップＳ５において、通常の使用モードへの変更が認められたならば、フローチャートのステップＳ５の「Ｎ」であり、展示用モードのフラグが立てられている状態のまま、通常の使用モードへと機能が移行し、通常動作部８が表示部５および音鳴動部６を制御した、携帯型通信装置１００の通常の機能が発揮される（ステップＳ８）。
【００２７】
さて、一度ステップＳ６でデモンストレーションが開始されると、携帯型通信装置１００の通常の機能（通常の使用モード）に対応したキー操作が新たに入力（モード変更）されていないかが、操作入力部１、処理判定部２を介して、制御部３により常に監視される（ステップＳ７）。
【００２８】
もし、通常の使用モードへの変更が認められないなら、フローチャートのステップＳ７の「Ｙ」であり、デモンストレーション処理部４によりデモンストレーションが継続される（ステップＳ６）。ステップＳ６とステップＳ７との動作は、通常使用モードへの変更が認められるまで、もしくは携帯型通信装置１００の電源がＯＦＦになるまで繰り返し実行される。
【００２９】
他方、ステップＳ７において、通常の使用モードへの変更が認められたならば、フローチャートのステップＳ７の「Ｎ」であり、制御部３によりデモンストレーション機能は中断され、展示用モードのフラグが立てられたまま、通常の使用モードへと機能が移行し、通常動作部８が表示部５および音鳴動部６を制御した、携帯型通信装置１００の通常の機能が発揮される（ステップＳ８）。
【００３０】
ところで、携帯型通信装置１００の通常の機能動作が終了し、何らのキー操作が行われず所定の時間が経過すると、ステップＳ４に戻り、制御部３が展示用モードのフラグが立てられているか否かの判定を行う。
【００３１】
ここで、ステップＳ５またはステップＳ７の判定において通常の使用モードへと移行した場合には、展示用モードのフラグが立てられているままなので、フローチャートのステップＳ４の「Ｙ」であり、ステップＳ５へと移行する。その後、何らキー操作が入力されないなら、所定の時間後、速やかにデモンストレーションが自動的に再開される。その後の処理動作は上述と同様なので、ここでは省略する。
【００３２】
他方、ステップＳ２においての判定において通常の使用モードへと移行した場合には（第一の方法による電源操作の場合には）、展示用モードのフラグが立てられていないので、フローチャートのステップＳ４の「Ｎ」であり、通常の使用モードのままでの使用となる（ステップＳ８へと戻る）。その後は、携帯型通信装置１００の電源がＯＦＦになるまで、ステップＳ４とステップＳ８の処理が繰り返される。
【００３３】
なお、所定の電源ＯＦＦ動作をすることにより、デモンストレーション処理部４が展示用モードのフラグの解除を行う。
【００３４】
以上により、本発明の携帯型通信装置１００本体の電源のＯＮ操作時に、販売員が一度、展示用モードのフラグを立てる所定のキー操作（第二の方法）を行うと、その後、携帯型通信装置１００の通常の機能が発揮される通常の使用モードへと機能が移行したとしても、展示用モードのフラグは立ったままなので、その後、何らキー操作が入力されないなら、所定の時間後、速やかにデモンストレーションが自動的に再開される。従って、販売員が携帯型通信装置１００本体の電源をＯＦＦにするまで、何らの作業を要せず、デモンストレーションによる商品の広告が行われる。
【００３５】
また、第二の方法による電源ＯＮ操作は特殊な操作なので、一般ユーザが通常の使用をしている限り、展示用モードのフラグを立てての操作をすることはない。さらに、一度、電源キーのみの操作（第一の方法）により携帯通信装置１００本体の電源をＯＮにしたなら、携帯型通信装置１００の使用中において途中で展示用モードへと切り替わることがないので、突然デモンストレーションが開始されることもない。
【００３６】
＜実施の形態２＞
本実施の形態の携帯型通信装置は、実施の形態１で記載した機能に加えて、予め、携帯型通信装置１００の電源がＯＮとなる時間と電源がＯＦＦとなる時間を設定することにより、展示用モードのフラグが立っている場合には、携帯型通信装置１００の電源のＯＮ、ＯＦＦ処理を自動で行えるようにした装置である。さらに、携帯型通信装置１００の電源をＯＦＦ状態にする際、上記の自動ＯＦＦ処理により電源を切った場合には、展示用モードのフラグが立った状態での電源ＯＦＦ処理となるようにした装置である。
【００３７】
以下、図３および図４のフローチャートに基づいて詳細な説明を行う。ここで、本実施の形態の携帯型通信装置１００は、例えば携帯型通信装置１００本体に設けられた操作入力部１を操作することにより、制御部３において予め電源ＯＮ時刻と電源ＯＦＦ時刻とが設定されているものとする。
【００３８】
図３は、上記で設定した自動電源ＯＦＦ時刻を迎えたときの本実施の形態の携帯型通信装置１００の動作の手順を示したフローチャート図であり、図３のフローチャートに基づいて自動ＯＦＦ時の動作について説明をする。
【００３９】
図３において、携帯型通信装置１００の電源がＯＮ状態で、上記で設定した電源ＯＦＦ時刻を迎えると（ステップＳ１１）、制御部３が展示用モードのフラグが立っているか否かの判定を行う（ステップＳ１４）。
【００４０】
このとき、前回、携帯型通信装置１００の電源をＯＮ状態にする際に、実施の形態１で記載した第一の方法を採用したなら、展示用モードのフラグが立っていない、通常動作部８が表示部５および音鳴動部６を制御した、携帯型通信装置１００の通常の機能を発揮させる通常の使用モードでの使用状態なので、図３のフローチャートのステップＳ１４の「Ｎ」であり、自動電源ＯＦＦ設定時刻になっても電源はＯＦＦにならず、通常の使用モードでの動作を継続する（ステップＳ１２）。
【００４１】
他方、前回、携帯型通信装置１００の電源をＯＮ状態にする際に、実施の形態１で記載した第二の方法を採用したなら、展示用モードのフラグが立てられた状態で、デモンストレーション機能または通常の機能が発揮されている状態なので、自動電源ＯＦＦ時刻になったとき（ステップＳ１１）、図３のフローチャートのステップＳ１４の「Ｙ」であり、携帯型通信装置１００の電源は自動でＯＦＦ状態となる。なお、自動で電源がＯＦＦの状態になる際、展示用モードのフラグは立てられた状態での自動電源ＯＦＦ動作となる（ステップＳ１３）。
【００４２】
次に、上記で設定した自動電源ＯＮ時刻を迎えたときの本実施の形態の携帯型通信装置１００の動作について、図４のフローチャートに基づいて説明をする。
【００４３】
図４において、携帯型通信装置１００の電源がＯＦＦ状態で、上記で設定した電源ＯＮ時刻を迎えると（ステップＳ２１）、制御部３が展示用モードのフラグが立っているか否かの判定を行う（ステップＳ２４）。
【００４４】
このとき、前回、携帯型通信装置１００の電源をＯＦＦ状態にする際に、所定の電源ＯＦＦ動作により電源をＯＦＦにしたなら、自動電源ＯＮ設定時刻になったとき、展示用モードのフラグが立っていないので、図４のフローチャートのステップＳ２４の「Ｎ」であり、自動電源ＯＮ設定時刻になっても電源はＯＮにならず、携帯型通信装置１００は電源ＯＦＦ状態を継続する（ステップＳ２２）。
【００４５】
他方、前回、携帯型通信装置１００の電源をＯＦＦ状態にする際に、図３のステップＳ１３で説明した自動電源ＯＦＦ動作により電源をＯＦＦ状態にしたなら、展示用モードのフラグが立てられた状態での電源ＯＦＦ処理なので、自動電源ＯＮ時刻になったとき（ステップＳ２１）、図４のフローチャートのステップＳ２４の「Ｙ」であり、携帯型通信装置１００の電源は自動でＯＮ状態となる（ステップＳ２３）。
【００４６】
その後、実施の形態１で説明したように、展示用モードによるデモンストレーション動作か、展示用モードのフラグが立てられた状態での通常の使用モードでの処理が行われる。さらに、再度電源ＯＦＦ設定時刻を迎えたとき、展示用モードのフラグが立っているので、図３のフローチャートのステップＳ１４の「Ｙ」であり、携帯型通信装置１００の電源は自動で電源ＯＦＦ状態となり（ステップＳ１３）、携帯型通信装置１００の電源は、所定の電源ＯＦＦ動作により電源をＯＦＦにするか、第一の方法により手動で電源をＯＮにしない限り、自動で電源はＯＮ、ＯＦＦされ、さらに携帯型通信装置１００のＯＮ状態において、展示用モード上での動作が続けられる。
【００４７】
以上により、本実施の形態の携帯型通信装置１００では、自動での電源ＯＮ、ＯＦＦ制御が可能となり、さらに、自動による電源のＯＮ状態では、常に展示用モードで起動するので、例えば、自動電源ＯＮ設定時刻に店の開店時刻、自動電源ＯＦＦ設定時刻に店の閉店時刻を設定することにより、販売員の手を煩わすことなく、開店時刻になると携帯型通信装置１００の電源をＯＮにし、その後は、実施の形態１によるデモンストレーション機能を発揮し、閉店時刻になるとＯＦＦにすることができる。
【００４８】
さらに、ユーザが本実施の形態の携帯型通信装置１００を購入しても、販売員が手渡す前に所定の電源ＯＦＦ動作により電源をＯＦＦとし、展示用モードのフラグを解除することにより、ユーザが通常の使用をしている限り、前記自動での電源ＯＮ、ＯＦＦ動作およびデモンストレーション機能は、発揮されない。
【００４９】
＜実施の形態３＞
本実施の形態の携帯型通信装置は、図２のステップＳ６でデモンストレーション機能が開始されるに際し、携帯型通信装置の現在位置（地方）に応じたデモンストレーション機能を発揮する装置である。図５は、本実施の形態の携帯型通信装置２００における各処理部を機能ブロックで表した図である。図５において、９は、例えばＪ−ＰＨＯＮＥ（株）が提供しているＣＢＳ（Ｃｅｌｌ  Ｂｒｏａｄｃａｓｔｉｎｇ  Ｓｅｒｖｉｃｅ：報知情報を利用した、地域別の情報提供サービス）位置情報の受信動作を行うＣＢＳ受信部である。なお、その他の構成は図１と同じなので、ここでの説明は省略する。
【００５０】
また、図６は、図２のステップＳ５で「Ｙ」の判定がなされてから、デモンストレーションが開始されるまでのフローチャートを示したものである。この図６に基づいて、本実施の形態の携帯型通信装置２００の動作を詳細に説明する。
【００５１】
はじめに、図２のステップＳ５で「Ｙ」の判定がなされると、制御部３は、デモンストレーション処理部４に対して、デモンストレーション開始の命令を発する（ステップＳ６１）。
【００５２】
すると、デモンストレーション処理部４は、ＣＢＳ受信部９に当該携帯型通信装置２００の現在の位置情報を取得するように命令を発する（ステップＳ６２）。
【００５３】
ＣＢＳ受信部９が位置情報取得の命令を受けると、ＣＢＳ信号の受信処理を行い、デモンストレーション処理部４に受信したＣＢＳ信号を送信し、デモンストレーション処理部４が当該ＣＢＳ信号に基づいて、現在どこの地方に位置しているのかの判定を行う（ステップＳ６３）。例えば、現在位置は地方Ａである、または地方Ｂである等の判定を行う（ステップＳ６４）。
【００５４】
すると、デモンストレーション処理部４は、前記位置情報の判定結果に従い、予め設定された地方Ａ、Ｂ等に対応した個別のデモンストレーションデータが格納されている記憶部７にアクセスし、当該判定結果（地方）に対応したデモンストレーションデータの取得を行う（ステップＳ６５）。
【００５５】
その結果、デモンストレーション処理部４は、地方に対応したデータを基に、表示部５および音鳴動部６を使用したデモンストレーションを開始する（ステップＳ６６）。ここで、その地方に応じたデモンストレーションとは、表示部５に表示される文章が、その地方に応じた文章になっている等、その地方に馴染みのある内容でデモンストレーション機能が発揮されることをいう。
【００５６】
以上により、本実施の形態の携帯型通信装置２００では、その地方に応じたデモンストレーション機能を発揮することができ、効率よく顧客に対して商品のアピールをすることができる。
【００５７】
【発明の効果】
本発明の請求項１に記載の携帯型通信装置によるデモンストレーション方法は、（Ｘ）携帯型通信装置の電源をＯＮするステップと、（Ｙ）前記ステップ（Ｘ）と同時に、所定の操作が行われたことを条件として、デモンストレーション機能を開始するステップとを備えているので、予め定められた所定の電源操作により、デモンストレーション機能を開始することができる。
【００５８】
また、本発明の請求項１に記載の携帯型通信装置によるデモンストレーション方法では、前記ステップ（Ｙ）は、（ａ）展示用モードを設定するステップと、（ｂ）前記展示用モード上で、デモンストレーション機能を開始するステップと、（ｃ）前記展示用モード中に、通常の使用モードに変更された場合には、前記展示用モード上で、前記通常の使用モードへと移行するステップと、（ｄ）前記（ｃ）ステップによる前記通常の使用モードでの作業終了後に、前記通常の使用モードが解除され、再度前記（ｂ）ステップを再開するステップとを備えているので、一度展示用モードが設定されると、当該展示用モード上で、デモンストレーション機能および携帯型通信装置としての通常の機能のいずれかが、常に発揮される。従って、顧客および販売員が通常の動作を確認、説明したいときには、通常の動作機能を発揮でき、その後、そのままの状態で当該携帯型通信装置を放置しておいても（販売員の再度の作業を要せずとも）、デモンストレーション機能が再開される。
【００５９】
本発明の請求項２に記載の携帯型通信装置によるデモンストレーション方法では、前記（ａ）ステップは、所定の電源ＯＮ操作により展示用モードのフラグを立てるステップであり、前記（ｃ）ステップは、前記展示用モードのフラグを立てた状態で、前記通常の使用モードへと移行するステップであり、前記（ｄ）ステップは、前記展示用モードのフラグが立てられているときに、前記（ｂ）ステップを再開するステップであるので、展示用モードのフラグを立てることにより、請求項１に記載の一連の処理を容易に、しかも、自動で行うことが可能となる。また、所定の電源操作でない通常の電源操作を施したときには、展示用モードのフラグは立たないので、（ｄ）ステップにおいてもデモンストレーション機能が発揮されることはなく、通常の使用モードが維持され続けることができ、ユーザが通常の操作を行っている限り、デモンストレーション機能が発揮されることはない。
【００６０】
本発明の請求項３に記載の携帯型通信装置によるデモンストレーション方法は、（ｆ）自動で電源をＯＮまたはＯＦＦ制御する時刻を設定するステップと、（ｇ）前記自動での電源ＯＦＦ時刻に、前記展示用モードのフラグが立てられているかの判定を行うステップと、（ｈ）前記（ｇ）ステップで前記展示用モードのフラグが立てられていると判定した場合は、前記展示用モードのフラグを立てた状態で電源のＯＦＦ処理を施すステップと、（ｉ）前記自動での電源ＯＮ時刻に、前記展示用モードのフラグが立てられているかの判定を行うステップと、（ｊ）前記（ｉ）ステップで前記展示用モードのフラグが立てられていると判定した場合は、前記展示用モードのフラグを立てた状態で電源のＯＮ処理を施すステップとを、さらに備えているので、当該携帯型通信装置の自動での電源ＯＮ、ＯＦＦ制御が可能となり、さらに、自動での電源ＯＦＦ制御の際には、展示用フラグを立てた状態での電源ＯＦＦ動作となるので、自動による電源ＯＮ制御では、常に展示用モードで起動させることができる。従って、例えば自動電源ＯＮ設定時刻に店の開店時刻、自動電源ＯＦＦ設定時刻に店の閉店時刻を設定することにより、販売員の手を煩わすことなく、開店時刻になると携帯型通信装置の電源をＯＮにし、その後は、展示用モード上でのデモンストレーション機能または当該携帯型通信装置の通常の機能が常に発揮され、閉店時刻になると電源をＯＦＦにすることができる。
【００６１】
さらに、ユーザが本実施の形態の携帯型通信装置を購入しても、販売員が手渡す前に所定の電源ＯＦＦ動作により電源をＯＦＦとし、展示用モードのフラグを解除することにより、ユーザが通常の使用をしている限り、前記自動での電源ＯＮ、ＯＦＦ動作およびデモンストレーション機能は、発揮されない。
【００６２】
本発明の請求項４に記載の携帯型通信装置によるデモンストレーション方法では、前記（Ｙ）ステップまたは前記（ｂ）ステップは、現在位置の位置情報を取得して、当該位置情報から判定される地方に対応した所定のデモンストレーション機能を開始するステップであるので、その地方に応じたデモンストレーション機能を発揮することができ、効率よく顧客に対して当該携帯型通信装置自身に関するアピールをすることができる。
【００６３】
本発明の請求項６に記載のデモンストレーション機能付き携帯型通信装置は、請求項１ないし請求項５のいずれかに記載の携帯型通信装置によるデモンストレーション方法を実行可能な装置であるので、上記で記載した効果を実現する携帯型通信装置を提供することができる。
【図面の簡単な説明】
【図１】  実施の形態１における携帯型通信装置の内部構成を示したブロック図である。
【図２】  実施の形態１における携帯型通信装置の動作の流れを示したフローチャートである。
【図３】  実施の形態２における携帯型通信装置の電源ＯＦＦ時の動作の流れを示したフローチャートである。
【図４】  実施の形態２における携帯型通信装置の電源ＯＮ時の動作の流れを示したフローチャートである。
【図５】  実施の形態３における携帯型通信装置の内部構成を示したブロック図である。
【図６】  実施の形態３における携帯型通信装置のデモンストレーションの準備が整ってから、開始されるまでの動作の流れを示したフローチャートである。
【符号の説明】
１  操作入力部、２  処理判定部、３  制御部、４  デモンストレーション処理部、５  表示部、６  音鳴動部、７  記憶部、８  通常動作部、９  ＣＢＳ受信部。
【図１】
0004129141.tif 000002
【図２】
0004129141.tif 000003
【図３】
0004129141.tif 000004
【図４】
0004129141.tif 000005
【図５】
0004129141.tif 000006
【図６】
0004129141.tif 000007